(57)【要約】    【課題】  無線デマンドと有線デマンドからのレンズ操作の併用ができない課題があった。    【解決手段】  撮影者が可動光学部材を操作するための操作手段と、前記操作手段からの指令信号を無線信号として送信する無線送信手段と、前記無線信号を受信する無線受信手段と、前記無線受信手段の出力に従って前記可動光学部材を駆動する光学部材駆動手段とを有する撮影装置において、  前記無線受信手段の出力と前記光学部材駆動手段の接続を電気的に遮断するか接続するかを切換える接続切換え手段を有する構成とした。【選択図】    図１
2014145874.tif 000002
【特許請求の範囲】
【請求項１】
撮影者が可動光学部材を操作するための操作手段と、前記操作手段からの指令信号を無線信号として送信する無線送信手段と、前記無線信号を受信する無線受信手段と、前記無線受信手段の出力に従って前記可動光学部材を駆動する光学部材駆動手段とを有する撮影装置において、
前記無線受信手段の出力と前記光学部材駆動手段の接続を電気的に遮断するか接続するかを切換える接続切換え手段を有する
ことを特徴とする撮影装置。
【請求項２】
前記接続切換え手段は手動で切換えを行うことを特徴とする請求項１記載の撮影装置。
【請求項３】
前記無線受信手段の出力に指令信号が含まれるか否かを判定する受信信号判定手段と、前記受信信号判定手段の結果が前記指令信号を含むと判定した場合は前記接続切換え手段を接続状態に設定し、前記指令信号が含まれないと判定した場合は前記接続切換え手段を遮断状態に設定する切換え設定手段と、を有することを特徴とする請求項１に記載の撮影装置。
【請求項４】
前記指令信号を有効または無効に設定する送信設定手段を有し、
前記無線送信手段では、前記送信設定手段の結果が有効な場合には前記指令信号を無線送信し、前記送信設定手段の結果が無効な場合には前記指令信号を無線送信しないことを特徴とする請求項３に記載の撮影装置。
【請求項５】
前記操作手段の出力である前記指令信号が有効であるか無効であるかを判定する操作指令判定手段を有し、
前記無線送信手段では、前記操作指令判定手段の結果が有効な場合には前記指令信号を無線送信し、前記操作指令判定手段の結果が無効な場合には前記指令信号を無線送信しないことを特徴とする請求項３に記載の撮影装置。
【請求項６】
前記操作手段が前記無線送信手段に接続されているかいないかを判定する接続判定手段を有し、
前記無線送信手段では、前記接続判定手段の結果が接続状態である場合には前記指令信号を無線送信し、前記接続判定手段の結果が接続状態でない場合には前記指令信号を無線送信しないことを特徴とする請求項３に記載の撮影装置。
【発明の詳細な説明】
【技術分野】
【０００１】
本発明は、複数の操作装置よりズーム、フォーカス、アイリスを駆動・制御する撮影システムに関するものであり、特には放送用撮影システムに関するものである。
【背景技術】
【０００２】
特許文献１には従来の放送用撮影システムにおけるズーム、フォーカス等の可動光学部材の制御システムが示されている。これらのシステム構成では、レンズシステムに対して、ズームを操作する操作装置であるズームデマンドと、フォーカスを操作する操作装置であるフォーカスデマンドとが接続されている。
【０００３】
また、レンズシステムとデマンドとの接続は、コネクタを使用したケーブル接続により行われ、特許文献１のコネクタは２０ピン構成であり、レンズシステムと操作装置間のケーブルもピン数と同じ２０芯のケーブルが使用される。また、このケーブルは、レンズシステムの傍で操作するため、１ｍ程度のものが標準的に用意されている。
【０００４】
放送用の撮影形態として、３〜５ｍ程度のクレーンの先端にカメラとレンズを設置し、クレーン元でカメラマンがデマンドを操作して撮影を行うクレーン撮影や、自然の中で設置したカメラとレンズから離れて猛獣等の撮影を行う場合がある。この際には、レンズシステムとデマンド間の標準的なケーブルでは長さが足りず、専用の延長ケーブルの製作と設置が必要になる。
【０００５】
このような撮影形態での利便性向上のため、特許文献２では複数の指令情報を一つの情報として多重化し、レンズシステムとデマンド間の接続を無線化する技術が開示されている。これにより、レンズシステムとデマンドとが離れた状態での撮影においても、設置作業が容易でありかつ、信頼性を維持できる運用が可能となっている。また、特許文献３では無線通信機能を有さないレンズシステムまたは操作装置に接続することで無線通信機能を成立させるアダプターユニットの開示もある。
【先行技術文献】
【特許文献】
【０００６】
【特許文献１】特開２００１−２９００７１号公報
【特許文献２】特開２００７−２９３０７０号公報
【特許文献３】特開２００７−３１０３０３号公報
【発明の概要】
【発明が解決しようとする課題】
【０００７】
特許文献１にはレンズシステムと複数のデマンドとの接続状態が開示されている。これによればレンズシステムの具備する２つのデマンドコネクタは同じピンアサインを有し、ズーム指令入力やフォーカス指令入力などの同じアサインの接点はレンズシステム内部で接続されている。
【０００８】
また、特許文献１、２及び３の技術を組み合わせることで次のような撮影システムが構築できる。即ち、ズームデマンド、フォーカスデマンドを一台の無線送信アダプタに接続し、指令信号を多重化したのち無線伝送する。一方、無線受信アダプタは受信した信号からズーム、フォーカスの指令信号を復元し、レンズシステムの具備する１つのデマンドコネクタにズーム指令及びフォーカス指令双方を与える。このシステム構成をとることにより、遠隔地からのズーム及びフォーカスの操作が可能となる。
【０００９】
しかしながら、例えばフォーカス操作を遠隔地から行い、ズーム操作を撮影者が行う運用を考えた場合、即ち、無線受信アダプタとズームデマンドをレンズシステムに接続するとレンズシステム内でズーム指令が衝突するため、ズーム操作が不能となる。
【００１０】
そこで、本発明の目的は、レンズシステムのデマンドコネクタに無線アダプタとデマンドをそれぞれ接続した場合でも、双方の操作指令により操作可能なレンズシステムを提供することにある。
【課題を解決するための手段】
【００１１】
上記目的を達成するために、本発明は、撮影者が可動光学部材を操作するための操作手段と、前記操作手段からの指令信号を無線信号として送信する無線送信手段と、前記無線信号を受信する無線受信手段と、前記無線受信手段の出力に従って前記可動光学部材を駆動する光学部材駆動手段とを有する撮影装置において、前記無線受信手段の出力と前記光学部材駆動手段の接続を電気的に遮断するか接続するかを切換える接続切換え手段を有することにより、レンズシステムのデマンドコネクタに無線アダプタとデマンドをそれぞれ接続した場合でも、双方の操作指令により操作可能なレンズシステムを提供することを特徴とする。
【発明の効果】
【００１２】
レンズシステムのデマンドコネクタに無線アダプタとデマンドをそれぞれ接続した場合でも、双方の操作指令により操作可能なレンズシステムを提供することができる。
【図面の簡単な説明】
【００１３】
【図１】実施例１の構成図
【図２】実施例２の構成図
【図３】実施例２の無線送信アダプタの作動フロー
【図４】実施例３の構成図
【発明を実施するための形態】
【００１４】
以下に、本発明の好ましい実施の形態を、添付の図面に基づいて詳細に説明する。
【００１５】
［実施例１］
図１の概略構成図を用いて、本発明の第１の実施例にについて説明する。
【００１６】
図１において、１は不図示のカメラシステムと接続し撮影を行うレンズシステムであり、２はレンズシステム１のズームを操作するズームデマンドであり、３はレンズシステム１のフォーカスを操作するフォーカスデマンドである。そして４はズームデマンド２及びフォーカスデマンド１等の操作装置と接続され、各操作装置の操作状態に応じて指令信号を多重化し、無線出力するための無線送信アダプタである。５は無線送信アダプタ４から出力された無線信号を受信し、各指令信号を分離してレンズシステム１へ与える無線受信アダプタである。
【００１７】
レンズシステム１において、１０１は撮影画角を変化させるズームレンズであり、１０２はピントを調整するフォーカスレンズである。１０３はズームレンズ１０１をレンズシステム１外部から与えられるズーム指令信号に従って移動させるズーム駆動部である。同様に１０４はフォーカスレンズ１０２をレンズシステム１外部から与えられるフォーカス指令信号に従って移動させるフォーカス駆動部である。そして１０５ａ、１０５ｂはデマンドを接続するためのデマンドコネクタである。
【００１８】
また、ズームデマンド２において、２０１はレンズシステム１等に接続するズームデマンドケーブル、２０２はズーム操作を行うサムリング操作部である。一方、フォーカスデマンド３においては、３０１はレンズシステム１等に接続するフォーカスデマンドケーブル、３０２はフォーカス操作を行うノブ操作部である。
【００１９】
そして、無線送信アダプタ４においては、４０１ａ、４０１ｂはデマンドを接続するための無線デマンドコネクタである。４０２はデマンドコネクタ４０１ａ、４０１ｂを介して入力されるズーム指令、フォーカス指令を時分割多重化し１本の多重指令信号に変化する指令多重化部であり、４０３は指令多重化部４０２の出力である多重指令信号を無線送信する無線送信部である。
【００２０】
最後に無線受信アダプタ５において、５０１は無線信号を受信する無線受信部であり、５０２は無線受信部５０１から与えられる多重指令信号をフォーカス指令信号及びズーム指令信号に分離する指令分離部である。５０３は指令分離部５０２から与えられるフォーカス指令信号を外部に出力するか電気的に解放状態にするかの切換えを、手動で行うフォーカス指令遮断部である。同様に５０４は指令分離部５０２から与えられるズーム指令信号を外部に出力するか電気的に解放状態にするかの切換えを、手動で行うズーム指令遮断部である。５０５はレンズシステム１と接続し、フォーカス指令遮断部５０３及びズーム指令遮断部５０４を通過した指令信号をレンズシステム１に与える無線デマンドケーブルである。
【００２１】
図１のように各機器が接続されている状態での動作について説明する。即ちズーム操作は撮影者がレンズシステム１に接続されたズームデマンド２を操作し、フォーカス操作は遠隔地から無線送信アダプタ４に接続したフォーカスデマンド３を操作し、無線受信アダプタ５を介してレンズシステム１に指令信号を与えるものとする。
【００２２】
フォーカスデマンド３のノブ操作部３０２を操作することで、フォーカス指令信号が無線送信アダプタ４のデマンドコネクタ４０１ａを介して指令多重化部４０２に与えられる。指令多重化部４０２では入力されるズーム指令とフォーカス指令を時分割多重化し１つの多重指令信号にした後、無線送信部４０３に出力する。この運用例では、デマンドコネクタ４０１ｂにズームデマンドは接続されていないが、指令多重化部４０２は未接続状態でのズーム指令信号を多重する。多重指令信号は、フォーカス指令、ズーム指令の識別信号と指令信号から構成されている。そして無線送信部４０３では入力された多重指令信号を無線送信する。
【００２３】
そして無線受信アダプタ５では、無線受信部５０１からの無線信号を受信し、多重指令信号を復元し指令分離部５０２に出力する。指令分離部５０２では入力された多重指令信号から識別信号を用いてフォーカス指令信号とズーム指令信号に分離し、それぞれフォーカス指令遮断部５０３とズーム指令遮断部５０４へ出力する。フォーカス指令遮断部５０３とズーム指令遮断部５０４は撮影者によって手動で操作される切換えスイッチなどにより構成されるもので、入力された指令信号を無線デマンドケーブルに出力するか、電気的に遮断（開放）するかを設定するものである。本実施形態の場合では撮影者がフォーカス指令遮断部５０３を接続状態に、ズーム指令遮断部５０４を遮断状態に操作してあるものとする。即ち、レンズシステム１のデマンドコネクタ１０５ａでは、フォーカス指令の接続はなされているが、ズーム指令信号は解放状態となっている。
【００２４】
また、ズームデマンド２におけるサムリング操作部２０２の操作情報であるズーム指令信号はズームデマンドケーブル２０１、デマンドコネクタ１０５ｂを介してズーム駆動部１０３に与えられる。
【００２５】
レンズシステム１ではデマンドコネクタ１０５ａ、１０５ｂからそれぞれ入力されるズーム指令信号、フォーカス指令信号の配線が直結されていて、ズーム指令信号はズーム駆動部１０３へ、フォーカス指令信号はフォーカス駆動部１０４へ指令信号を与える。即ち、デマンドコネクタ１０５ａを介して無線受信アダプタ５からのフォーカス指令信号、デマンドコネクタ１０５ｂを介してズームデマンド２からのズーム指令信号がレンズシステムに入力される。なお、ズーム指令遮断部５０４により無線受信アダプタ５のズーム指令信号は遮断状態に設定されているので、ズームデマンド２と無線受信アダプタ５のズーム指令出力が衝突することは無い。
【００２６】
ズーム駆動部１０３及びフォーカス駆動部１０４ではそれぞれ、ズーム指令信号、フォーカス指令信号に従ってズームレンズ１０１、フォーカスレンズ１０２を駆動する。
【００２７】
上記構成をとることにより、従来無線受信アダプタ５とズームデマンド２をレンズシステム１に接続した場合にズーム指令信号が衝突して、結果ズームの操作が意図どおりにできなくなるという課題を解消することができる。
【００２８】
本実施例では、レンズシステム１に無線受信アダプタ５とズームデマンド２を接続した運用形態を挙げたが、フォーカスデマンド３をレンズシステムに接続した場合も同様な効果が得られる。更にアイリスなど他の駆動系や、デマンドに装備される各種スイッチ情報についても同様な構造をとることで実施が可能である。
【００２９】
また、無線の技術には特に指定はなく、さまざまな無線技術を使用することが可能である。
【００３０】
［実施例２］
図２の概略構成図を用いて、本発明の第２の実施例について説明する。
【００３１】
本実施例の特徴となる点は無線送信アダプタ４側で指令信号の有効無効選択を行えるようにし、この選択状態に応じて無線受信アダプタ５の指令信号遮断切換えを行うようにしたものである。
【００３２】
実施例１と同構成同部材については同じ番号を与え説明を省略する。
【００３３】
同図において、４０４は無線送信アダプタ４に構成されて、フォーカス操作が有効か否かを設定するためのフォーカス指令有効設定部である。同様に、４０５は無線送信アダプタ４に構成されて、ズーム操作が有効か否かを設定するためのフォーカス指令有効設定部である。また、５０５は無線受信アダプタ５に構成されて無線受信部５０１からの多重化指令信号に含まれる指令信号の有無を判断し、フォーカス指令遮断部５０３及び、ズーム指令遮断部５０４へ切換え信号を与える受信指令信号判定部５０５である。
【００３４】
動作について説明する。
【００３５】
遠隔地でフォーカスデマンド３を操作する操作者が予め、フォーカス指令信号を無線送信し、ズーム指令信号を無線送信しないように無線送信アダプタ４を設定する。フォーカス指令有効設定部４０４及びズーム指令有効設定部４０５の状態は指令多重化部４０２に出力される。指令多重化部４０２は図３に示した指令信号処理フローに従った動作を行う。即ち、処理ステップ３０１で処理が開始されると処理ステップＳ３０２でフォーカス指令有効設定部４０４、ズーム指令有効設定部４０５の状態を取り込む。処理ステップＳ３０３では取り込んだ二つの設定状態に有効設定が無いかを判定する。有効設定状態が無い場合には処理ステップＳ３０４で識別信号をフォーカス、ズーム以外の状態にしてダミー信号を無線送信部４０３に出力する。一方処理ステップＳ３０３で有効指令が設定されている判定をした場合は処理ステップＳ３０５に処理を移し、有効指令状態が一つのみか否かを判定する。一つと判定した場合処理を処理ステップＳ３０６に移し、有効設定されている指令信号に識別信号を付加し無線送信部４０３に出力する。一方処理ステップＳ３０５で有効指令が二つ設定されている判定をした場合は処理ステップＳ３０７に処理を移し、二つの指令信号に識別信号を付加し、多重化した後無線送信部４０３に出力する。
【００３６】
なお、本実施例では、フォーカス指令有効設定部４０４を“有効”に、そしてズーム指令有効設定部４０５を“無効”にするようにスイッチ操作を行っている。したがって処理ステップＳ３０６の処理を通過することになるので、フォーカス指令信号のみを無線出力することになる。
【００３７】
一方、無線受信アダプタ５では無線受信部５０１で無線信号を受信し、受信データを受信指令信号判定部５０５及び指令分離部５０２に出力する。受信指令信号判定部５０５では多重化指令信号の識別信号を確認し、ズーム指令信号、フォーカス指令信号が含まれるかを判断する。そして、認識した識別信号の指令信号を外部へ出力するための切換え信号をフォーカス指令遮断部５０３、ズーム指令遮断部５０４へそれぞれ与える。なお、本実施例の設定ではフォーカス識別信号のみが認識されることになるので、フォーカス指令遮断部５０３を接続状態に、ズーム指令遮断部５０４を遮断状態にする切換え信号を出力する。切換え信号の状態は、一度検出された指令信号は常に接続状態にしておいてもよいし、既知である無線伝送アダプタ４の指令信号多重周期よりも長い周期で識別されなかった時点で遮断状態に切換えてもよい。
【００３８】
以降実施例１と同様に、フォーカス指令遮断部５０３及び、ズーム指令遮断部５０４では与えられた切換え信号に従って、入力された指令信号出力をするか、遮断するか切換えを行う。
【００３９】
このような構成をとることにより、遠隔操作側で、レンズシステム１に与える指令信号の遮断操作が可能となる効果が得られ、撮影形態の自由度が増える。
【００４０】
以上、本発明の好ましい実施形態について説明したが、本発明はこれらの実施形態に限定されず、その要旨の範囲内で種々の変形及び変更が可能である。
【００４１】
［実施例３］
図４の概略構成図を用いて、本発明の第３の実施例について説明する。
【００４２】
本実施例の特徴となる点は無線送信アダプタ４側でフォーカスデマンド、ズームデマンドの接続を判定することで指令信号の有効無効を自動で設定できるようにしたものである。
【００４３】
実施例１と同構成同部材については同じ番号を与え説明を省略する。
【００４４】
同図において、４０６は無線送信アダプタ４に構成されて、無線デマンドコネクタ４０１ａ、４０１ｂから与えられるフォーカス指令信号の接続状態を判断するフォーカス指令接続判定部である。同様に４０７は無線送信アダプタ４に構成されて、無線デマンドコネクタ４０１ａ、４０１ｂから与えられるズーム指令信号の接続状態を判断するズーム指令接続判定部である。
【００４５】
フォーカス指令接続判定部４０６では無線デマンドコネクタ４０１ａ、４０１ｂから与えられるフォーカス指令信号の電圧レベルから接続状態を判断する。フォーカスデマンド３は可変抵抗器等で構成されており、固定抵抗の両端に所定電圧、例えば２Ｖと８Ｖを印加している。これによりノブ操作部３０２が操作されると、フォーカス指令信号は２Ｖと８Ｖの間で変化するように作動する。フォーカス指令接続判定部４０６内では予め、フォーカス指令信号線を上記指令電圧範囲外の電位にプルアップまたはプルダウンしてある。そして、指令信号レベルが指令電圧範囲外であるか否かをコンパレータ等で判断する。ズーム指令接続判定部４０７も同様な構成をとっている。
【００４６】
本実施例の無線伝送アダプタ４の接続状態では、フォーカスデマンド３が接続されているので指令電圧範囲内のレベルを検出し、接続状態であるとフォーカス指令接続判定部４０６は判断する。また、ズームは指令電圧範囲外のレベルを検出し、非接続状態であるとズーム指令接続判定部４０６は判断する。この結果を図破線の経路で指令多重部４０２に送信し、指令多重部４０２では指令電圧範囲以内の状態である指令のみを無線伝送を行うように処理する。以降、実施例２と同様に、無線伝送アダプタ５では伝送された指令信号のみをレンズシステム１に出力する。
【００４７】
このような構成をとることにより、無線送信アダプタ４に切換え手段と切換え操作を必要としないシステムが構築できる。
【００４８】
以上、本発明の好ましい実施形態について説明したが、本発明はこれらの実施形態に限定されず、その要旨の範囲内で種々の変形及び変更が可能である。
【符号の説明】
【００４９】
１     レンズシステム
２     ズームデマンド
３     フォーカスデマンド
４     無線送信アダプタ
５     無線受信アダプタ
４０４ フォーカス指令有効設定部
４０５ ズーム指令有効設定部
４０６ フォーカス指令接続判定部
４０７ ズーム指令接続判定部
５０３ フォーカス指令切換部
５０４ ズーム指令切換部
【図１】
2014145874.tif 000003
【図２】
2014145874.tif 000004
【図３】
2014145874.tif 000005
【図４】
2014145874.tif 000006